(57)【要約】【課題】    本発明の目的は、気密性をそれ程高くしなくても良好な津波シェルターを提供するものである。【解決手段】    津波シェルターＳは、略球状又は略楕円球状又は略立方体又は略直方体の中空構造体をなし、頂部に出入口１０を有した津波シェルター本体１と、出入口１０を開閉する開閉扉２と、津波シェルター本体１の外側に設けられ、津波シェルター本体１の下方から開閉扉２へ向かう複数の凹状の階段１１とを備え、この複数の凹状の階段１１には、それぞれ、入り口１１ａから奥に向かって下がり勾配に形成され、該下がり勾配の先端は、閉塞された閉塞部１１ｂに形成され、この閉塞部１１ｂの底部と津波シェルター本体１の外方とに連通して、閉塞部１１ｂの底部に溜まる雨水を津波シェルター本体１の外方へ導く雨水通路１２が設けられているものである。【選択図】図４
2014104778.tif 000002
【特許請求の範囲】
【請求項１】
略球状又は略楕円球状又は略立方体又は略直方体の中空構造体をなし、頂部に出入口を有した津波シェルター本体と、
前記出入口を開閉する開閉扉と、
前記津波シェルター本体の外側に設けられ、前記津波シェルター本体の下方から前記開閉扉へ向かう複数の凹状の階段とを備え、
この複数の凹状の階段には、それぞれ、入り口から奥に向かって下がり勾配に形成され、該下がり勾配の先端は、閉塞された閉塞部に形成され、
この閉塞部の底部と前記津波シェルター本体の外方とに連通して、前記閉塞部の底部に溜まる雨水を前記津波シェルター本体の外方へ導く雨水通路が設けられている
ことを特徴とする津波シェルター。
【請求項２】
津波シェルター本体の内壁と外壁とを貫通する通路と、
前記津波シェルター本体内への海水の侵入を阻止すると共に、前記津波シェルター本体の外を視認するための透明又は半透明の窓と、
前記通路の外又は中途に設けられ、前記窓より外方に位置し、前記窓を保護する十字状又は格子状の保護部材とを備え、
前記通路は、前記津波シェルター本体の内から外に向かって末広がりのラッパ状に形成されている
ことを特徴とする請求項１記載の津波シェルター。
【請求項３】
津波シェルター本体の内に設けられた椅子と、
この椅子に設けられた手で把持できる把持部と、
前記津波シェルター本体の底部であって、前記椅子に人が座って足が着く位置の部位に設けられた前記足が係止する凹凸部と、
を備えていることを特徴とする請求項１記載の津波シェルター。
【請求項４】
出入口を開閉する開閉扉が、前記出入口から離間するように付勢する弾性部材を津波シェルター本体に取り付け、
前記出入口を前記開閉扉で閉める時、前記弾性部材に抗して、前記開閉扉を前記出入口の縁部に当接するように引き寄せる引き寄せ手段を有し、
前記引き寄せ手段を作用させないで、前記開閉扉を前記出入口で覆った状態において、前記弾性部材により前記開閉扉と前記出入口との間は離間し、空気の出入りを許容する隙間が形成されている
ことを特徴とする請求項１記載の津波シェルター。
【請求項５】
アンカーと、
このアンカーを接続する接続部材とを備え、
この接続部材の一端は前記アンカーに、他端は津波シェルター本体の外壁に設けた接続部にそれぞれ接続され、
前記アンカーの未使用時、前記津波シェルター本体の外に位置する前記接続部材は、前記津波シェルター本体の外に設けられた溝内に収納され、
前記津波シェルター本体の内に位置する前記接続部材は、出入口と開閉扉との間を介して前記津波シェルター本体の内に位置すると共に、前記接続部材の一端に接続された前記アンカーは、前記津波シェルター本体の内に位置し、
前記アンカーの使用時、前記開閉扉を開いて、前記出入口から前記津波シェルター本体の内に位置していた前記接続部材の部位及び前記アンカーが、前記津波シェルター本体の外へ位置させる
ことを特徴とする請求項１記載の津波シェルター。
【発明の詳細な説明】
【技術分野】
【０００１】
本発明は、津波シェルターに係り、特に、気密性をそれ程高くしなくても良好な津波シェルターに関する。
【背景技術】
【０００２】
従来、球状の中空構造体をなし、側壁に出入口を有した津波シェルターがある（特許文献１参照）。
この津波シェルターは、津波シェルター内に出入りする場合、側壁に設けた出入口を開閉する扉を開けて行うようにしている。
【先行技術文献】
【特許文献】
【０００３】
【特許文献１】特許第３５４１１９７号公報
【発明の概要】
【発明が解決しようとする課題】
【０００４】
しかしながら、上述した津波シェルターにあっては、特許文献１の図５に示すように、扉の下方に海水が位置するようにするためには浮力材が必要で、浮力材が十分でないと、側壁に設けた扉の位置まで、海水が位置することとなる。
かかる場合、津波シェルター内に海水が侵入しないように、出入口と扉との気密性を高くしなければならないという問題点が生じた。
【０００５】
本発明は、上記の問題点を考慮してなされたもので、気密性をそれ程高くしなくても良好な津波シェルターを提供することを目的とする。
【課題を解決するための手段】
【０００６】
請求項１記載の津波シェルターは、略球状又は略楕円球状又は略立方体又は略直方体の中空構造体をなし、頂部に出入口を有した津波シェルター本体と、前記出入口を開閉する開閉扉と、前記津波シェルター本体の外側に設けられ、前記津波シェルター本体の下方から前記開閉扉へ向かう複数の凹状の階段とを備え、この複数の凹状の階段には、それぞれ、入り口から奥に向かって下がり勾配に形成され、該下がり勾配の先端は、閉塞された閉塞部に形成され、この閉塞部の底部と前記津波シェルター本体の外方とに連通して、前記閉塞部の底部に溜まる雨水を前記津波シェルター本体の外方へ導く雨水通路が設けられているものである。
【０００７】
また、請求項２記載の津波シェルターは、請求項１記載の津波シェルターにおいて、津波シェルター本体の内壁と外壁とを貫通する通路と、前記津波シェルター本体内への海水の侵入を阻止すると共に、前記津波シェルター本体の外を視認するための透明又は半透明の窓と、前記通路の外又は中途に設けられ、前記窓より外方に位置し、前記窓を保護する十字状又は格子状の保護部材とを備え、前記通路は、前記津波シェルター本体の内から外に向かって末広がりのラッパ状に形成されているものである。
【０００８】
また、請求項３記載の津波シェルターは、請求項１記載の津波シェルターにおいて、津波シェルター本体の内に設けられた椅子と、この椅子に設けられた手で把持できる把持部と、前記津波シェルター本体の底部であって、前記椅子に人が座って足が着く位置の部位に設けられた前記足が係止する凹凸部と、を備えているものである。
【０００９】
また、請求項４記載の津波シェルターは、請求項１記載の津波シェルターにおいて、出入口を開閉する開閉扉が、前記出入口から離間するように付勢する弾性部材を津波シェルター本体に取り付け、前記出入口を前記開閉扉で閉める時、前記弾性部材に抗して、前記開閉扉を前記出入口の縁部に当接するように引き寄せる引き寄せ手段を有し、前記引き寄せ手段を作用させないで、前記開閉扉を前記出入口で覆った状態において、前記弾性部材により前記開閉扉と前記出入口との間は離間し、空気の出入りを許容する隙間が形成されているものである。
【００１０】
また、請求項５記載の津波シェルターは、請求項１記載の津波シェルターにおいて、アンカーと、このアンカーを接続する接続部材とを備え、この接続部材の一端は前記アンカーに、他端は津波シェルター本体の外壁に設けた接続部にそれぞれ接続され、前記アンカーの未使用時、前記津波シェルター本体の外に位置する前記接続部材は、前記津波シェルター本体の外に設けられた溝内に収納され、前記津波シェルター本体の内に位置する前記接続部材は、出入口と開閉扉との間を介して前記津波シェルター本体の内に位置すると共に、前記接続部材の一端に接続された前記アンカーは、前記津波シェルター本体の内に位置し、前記アンカーの使用時、前記開閉扉を開いて、前記出入口から前記津波シェルター本体の内に位置していた前記接続部材の部位及び前記アンカーが、前記津波シェルター本体の外へ位置させるものである。
【発明の効果】
【００１１】
請求項１記載の津波シェルターによれば、津波時、津波シェルターが浮力により浮かび、海水と津波シェルター本体とが接する部位が他の部位と比べ頂部が少ないことから、出入口を頂部に設けた分、出入口と開閉扉とのシールを、それ程、気密性を高くしなくても、出入口を介しての海水の侵入を防ぐことができ、また、出入口を頂部に設けた分、津波時、津波シェルター本体へは、津波シェルター本体の下方から開閉扉へ向かう複数の凹状の階段を使って頂部に設けた出入口に達することができ、更に、凹状の階段には、入り口から奥に向かって下がり勾配に形成され、該下がり勾配の先端は、閉塞された閉塞部に形成され、この閉塞部の底部と前記津波シェルター本体の外方とに連通した雨水通路が設けられているため、非津波時、閉塞部の底部に溜まる雨水を津波シェルター本体の外方へと導くことができ、使用勝手の良好な津波シェルターを得ることができる。
【００１２】
また、請求項２記載の津波シェルターによれば、上述した請求項１記載の発明の効果に加え、津波シェルター本体の内壁と外壁とを貫通する通路と、前記津波シェルター本体内への海水の侵入を阻止すると共に、前記津波シェルター本体の外を視認するための透明又は半透明の窓と、前記通路の外又は中途に設けられ、前記窓より外方に位置し、前記窓を保護する十字状又は格子状の保護部材とを備え、前記通路は、前記津波シェルター本体の内から外に向かって末広がりのラッパ状に形成されているため、十字状又は格子状の保護部材により窓が保護され、しかも、通路が末広がりのラッパ状に形成されている分、津波シェルター本体内から窓を介して津波シェルター本体の外を広く視認することができ、使用勝手の良好な津波シェルターを得ることができる。
【００１３】
また、請求項３記載の津波シェルターによれば、上述した請求項１記載の発明の効果に加え、津波シェルター本体内の椅子に座り、手を把持部に把持し、足を凹凸部に係止させれば、津波時、体を津波シェルター本体内の所定位置に保持させることができ、使用勝手の良好な津波シェルターを得ることができる。
【００１４】
また、請求項４記載の津波シェルターによれば、上述した請求項１記載の発明の効果に加え、出入口を開閉する開閉扉が、前記出入口から離間するように付勢する弾性部材を津波シェルター本体に取り付け、前記出入口を前記開閉扉で閉める時、前記弾性部材に抗して、前記開閉扉を前記出入口の縁部に当接するように引き寄せる引き寄せ手段を有し、前記引き寄せ手段を作用させないで、前記開閉扉を前記出入口で覆った状態において、前記弾性部材により前記開閉扉と前記出入口との間は離間し、空気の出入りを許容する隙間が形成されているため、意識的に引き寄せ手段を作用しない限り、単に、出入口を開閉扉で覆っただけでは、出入口と開閉扉との間には、空気の出入りを許容する隙間により、津波シェルター本体内で作業等をしても、空気の出入りを生じ、酸欠状態を防ぐことができ、使用勝手の良好な津波シェルターを得ることができる。
【００１５】
また、請求項５載の津波シェルターによれば、上述した請求項１記載の発明の効果に加え、接続部材の一端は前記アンカーに、他端は津波シェルター本体の外壁に設けた接続部にそれぞれ接続され、前記アンカーの未使用時、前記津波シェルター本体の外に位置する前記接続部材は、前記津波シェルター本体の外に設けられた溝内に収納され、前記津波シェルター本体の内に位置する前記接続部材は、出入口と開閉扉との間を介して前記津波シェルター本体の内に位置すると共に、前記接続部材の一端に接続された前記アンカーは、前記津波シェルター本体の内に位置し、前記アンカーの使用時、前記開閉扉を開いて、前記出入口から前記津波シェルター本体の内に位置していた前記接続部材の部位及び前記アンカーが、前記津波シェルター本体の外へ位置させるから、アンカーの未使用時、津波シェルター本体の外に位置する接続部材が外に位置する分、津波シェルター本体内に設けなくて良いため、津波シェルター本体内の接続部材を短くしてコンパクトにし、しかも、津波シェルター本体の外に設けられた溝内に接続部材を収納させることができ、使用勝手の良好な津波シェルターを得ることができる。
【図面の簡単な説明】
【００１６】
【図１】図１は、本発明の一実施例の津波シェルターの設置状態の概略的斜視図である。
【図２】図２は、図１の通路の部位の概略的断面図である。
【図３】図３は、図２の概略的正面図である。
【図４】図４は、図１の津波シェルターの概略的断面図である。
【図５】図５は、図４の概略的平面図である。
【図６】図６は、図５の津波シェルター本体の一部の概略的一部拡大断面図である。
【図７】図７は、図４の７−７線の概略的断面図である。
【図８】図８は、図１の凹状の階段の部位の概略的断面図である。
【図９】図９は、図８の概略的正面図である。
【図１０】図１０は、図１の開閉扉を開けた状態の概略的断面図である。
【図１１】図１１は、図１のアンカーの使用状態を説明するための概略的断面図で、アンカーの不使用時、破線の接続部材及びアンカーは津波シェルター本体内に、アンカーの使用時、実線の接続部材及びアンカーは、津波シェルター本体外に、それぞれ位置していることを示している。
【図１２】図１２は、図１の津波シェルター本体と異なる形態の津波シェルター本体の概略的断面図である。
【図１３】図１３は、図１の開閉扉に遮光部材を取り付けた状態の概略的平面図である。
【図１４】図１４は、図１３の１４−１４線による概略的断面図である。
【図１５】図１５は、図１３の１５−１５線による概略的断面図である
【図１６】図１６は、図１の排気管（吸気管）の部位の概略的断面図である。
【図１７】図１７は、図１６を拡大して示す概略的拡大断面図である。
【図１８】図１８は、図１６の排気管（吸気管）の蓋が閉じた状態の概略的断面図である。
【発明を実施するための形態】
【００１７】
本発明の一実施例の津波シェルターを図面（図１乃至図１１）を参照して説明する。    図１及び図４に示すＳは、地震によって津波が発生し、避難する場所、時間等がない場合、住居、作業所、人が集まる場所に設置し、避難する際に使用される津波シェルターで、津波シェルターＳは、略球状の中空構造体をなし、頂部１ｆに出入口（ハッチ）１０を有した津波シェルター本体１を有している。
頂部１ｆは、上方に向かって突出し、津波シェルター本体１が大きく傾いた場合に海水が侵入しにくい構造となっている。
津波シェルター本体１は、例えば、内側補強部材１ａ、中間補強部材１ｂ、外側補強部材１ｃ、内側補強部材１ａと中間補強部材１ｂとの間に位置する第１の浮体兼緩衝材１ｄ、中間補強部材１ｂの外側に位置する第２の浮体兼緩衝材１ｅとから構成され（図４参照）、外側補強部材１ｃは、第２の浮体兼緩衝材１ｅを覆う金網１ｃ１、金網１ｃ１を覆う繊維強化プラスチック（ＦＲＰ）１ｃ２から構成されている（図６参照）。
【００１８】
また、図１に示す２は、出入口１０を開閉する開閉扉で、津波時、津波シェルターＳが浮力により浮かび、海水と津波シェルター本体１とが接する部位が他の部位と比べ頂部が少ないことから、出入口１０を頂部に設けた分、出入口１０と開閉扉２とのシールを、それ程、気密性を高くしなくても、出入口１０を介しての海水の侵入を防ぐことができるようにしている。
なお、開閉扉２は、図１３乃至図１５に示すように、望ましくは、遮光部材２３を設けると良い。遮光部材２３は、開閉扉２の上部に補強を兼ねた強い日差しによる津波シェルター本体１内の温度上昇を防止すると共に、開閉扉２の劣化をも防ぐもので、遮光部材２３は補強部材２４を介して取り付けられている。
遮光部材２３は、図１３においては、一部しか図示されていないが、開閉扉２を平面視覆うように設けられる。また、図１３乃至図１５に示す２４ａは補強部材２４に設けられた通水孔、２４ｂは遮光部材２３を補強部材２４に取付部材（例えば、針金）２４ｃを通す孔である。
【００１９】
また、図１０に示す３は、開閉扉２が出入口１０から離間するように付勢する弾性部材で、弾性部材３は、津波シェルター本体１に取り付けられている。
出入口１０を開閉扉２で閉める時、弾性部材３に抗して、開閉扉２を出入口１０の縁部に当接するように引き寄せる引き寄せ手段４を有している。
引き寄せ手段４は、例えば、開閉扉２の裏面に取り付けられたロープで、ロープ４を引き寄せて開閉扉２を出入口１０の縁部に当接させ（開閉扉２を出入口１０の縁部に当接する際、図示しないパッキンを介在させてシール性を向上させることが望ましい。）、この当接した状態を維持するために、ロープ４を津波シェルター本体１内の部位（例えば、梯子４１）に縛り付けるようにする。
なお、引き寄せ手段４を作用させないで、開閉扉２を出入口１０で覆った状態において、弾性部材３により開閉扉２と出入口１０との間は離間し、空気の出入りを許容する隙間が形成されている。
その結果、意識的に引き寄せ手段４を作用させない限り、単に、出入口１０を開閉扉２で覆っただけでは、出入口１０と開閉扉２との間には、空気の出入りを許容する隙間により、津波シェルター本体１内で作業等をしても、空気の出入りを生じ、酸欠状態を防ぐことができ、使用勝手の良好な津波シェルターＳを得ることができる。
また、津波シェルターＳを使用しないときには、図１に示すように、弾性部材３に抗して、外部より開閉扉２により出入口１０を閉め、図示しない保持具で、出入口１０の保持状態を保持するようにしている。
【００２０】
また、津波シェルター本体１の外側には、津波シェルター本体１の下方から開閉扉２へ向かう手掛け部ともなる複数の凹状の階段１１が設けられている。
津波シェルターＳには、どの方向からも、上り下りできるように、複数の凹状の階段１１を複数（例えば、図５に示すように４箇所設けている。）設けている。
また、複数の凹状の階段１１には、それぞれ、図８及び図９に示すように、入り口１１ａから奥に向かって下がり勾配に形成され、該下がり勾配の先端は、閉塞された閉塞部１１ｂに形成され、
この閉塞部１１ｂの底部と津波シェルター本体１の外方とに連通して、閉塞部１１ｂの底部に溜まる雨水を津波シェルター本体１の外方へ導く雨水通路１２が設けられている。
【００２１】
上述したように、出入口１０を頂部に設けた分、津波時、津波シェルター本体１へは、津波シェルター本体１の下方から開閉扉２へ向かう複数の凹状の階段１１を使って頂部に設けた出入口１０に達することができ、更に、複数の凹状の階段１１には、それぞれ、雨水通路１２が設けられているため、非津波時、閉塞部１１ｂの底部に溜まる雨水を津波シェルター本体１の外方へと導くことができ、使用勝手の良好な津波シェルターＳを得ることができる。
【００２２】
なお、津波シェルターＳは、津波、洪水以外にも、長期間使用できるように、図１に示すように、津波シェルターＳをアンカーＡ１、Ａ２、Ａ３、ロープＲ１、Ｒ２、Ｒ３で安定的に保持されている。また、津波シェルター本体１内には、バッテリー（図示せず）、又は、外部の電源（図示せず）に接続して、ファン２１ｃ（図４参照）を駆動させて、排気管２１、吸気管２２を介して、津波シェルター本体１の換気を良くするようにしても良い。上記のバッテリー（図示せず）への蓄電は、開閉扉２の上部に図示しない小型のソーラーパネルを配設して行い、開閉扉２の上部に図示しない常夜灯、津波シェルター本体１の内部に図示しない照明灯を点灯するようにしても良い。
【００２３】
また、上述した排気管２１の先端には、図１６乃至図１８に示すように、蓋２１ａが設けられ、該蓋２１ａは、バネ（例えば、円錐バネ）２１ｂにより排気管２１の先端を開放するように付勢されている。排気管２１に設けたファン２１ｃは、津波シェルター本体１の内部から外部に向かって作用するように作動するが、場合により、ファン２１ｃを正逆回転するファンとしても良い。そして、波を被ると、図１８に示すように、蓋２１ａにかかる水圧によりバネ２１ｂを押し下げて、排気管２１の先端を蓋２１ａで閉じて、海水の侵入を阻止するようにしている。
【００２４】
また、上述した吸気管２２の先端には、排気管２１と同様に、図１６乃至図１８に示すように、蓋２２ａが設けられ、該蓋２２ａは、バネ（例えば、円錐バネ）２２ｂにより吸気管２２の先端を開放するように付勢されている。吸気管２２に設けたファン２２ｃは、津波シェルター本体１の外部から内部に向かって作用するように作動するが、場合により、ファン２２ｃを正逆回転するファンとしても良い。そして、波を被ると、図１８に示すように、蓋２２ａにかかる水圧により２２ｂを押し下げて、吸気管２２の先端を蓋２２ａで閉じて、海水の侵入を阻止するようにしている。
なお、ファン２１ｃ、ファン２２ｃと２個のファンを設けたが、例えば、何れか一方のファンを省略しても良いし、場合により、ファン２１ｃ、ファン２２ｃの両方をも省略しても良い。
また、排気管２１と蓋２１ａとの間隙に防虫網２１ｄを、吸気管２２と蓋２２ａとの間隙に防虫網２２ｄを、それぞれ設けている（図１６参照）。
【００２５】
また、図１に示す１３は、津波シェルター本体１の内壁（内側補強部材）１ａと外壁（外側補強部材）１ｃとを貫通する通路で、通路１３は、複数（図５に示すように、例えば、４個設けられている。）設けられている。
また、図２及び図３に示す１４は、津波シェルター本体１内への海水の進入を阻止すると共に、津波シェルター本体１内の明かりの確保と津波シェルター本体１の外を視認するための透明又は半透明の窓で、図２及び図３に示す１５は、通路１３の中途（又は外）に設けられ、窓１４より外方に位置し、通路１３内への異物の侵入に対して、窓１４を保護する十字状（又は格子状）の保護部材で、前記した通路１３は、津波シェルター本体１の内から外に向かって末広がりのラッパ状に形成されている。
そのため、窓１４は十字状（又は格子状）の保護部材１５により保護され、しかも、通路１３が末広がりのラッパ状に形成されている分、津波シェルター本体１内から窓１４を介して津波シェルター本体１内の明るさの確保と津波シェルター本体１の外を広く視認することができ、使用勝手の良好な津波シェルターＳを得ることができる。
【００２６】
また、図４に示す１６は、津波シェルター本体１の内に設けられた椅子で、椅子１６は、底部１ｃに固定され、津波シェルター本体１を補強し、また、椅子１６には、手で把持できる把持部１６ａが設けられている。
津波シェルター本体１の底部１Ｃには、椅子１６に人が座って足が着く位置の部位に足が係止する凹凸部１６ｂが設けられている。
その結果、津波シェルター本体１内の椅子１６に座り、手を把持部１６ａに把持し、足を凹凸部１６ｂに係止させれば、津波時、体を津波シェルター本体１内の所定位置に保持させることができ、使用勝手の良好な津波シェルターＳを得ることができる。
なお、上述した津波シェルター本体１内に設けられた底部の補強を兼ねた椅子１６を中空の椅子（図示せず）とし、内部に飲料水、食料品等の物品を収納できる収納部（図示せず）を、該収納部（図示せず）に前記物品の出し入れができる出し入れ口（図示せず）を、それぞれ形成するようにしても良いし、また、椅子１６の近傍には、シートベルト（図示せず）が取り付けられ、避難者の身体を固定することもできる。また、椅子１６は、詳細を省略するが、便器を兼ねた椅子とすることもできる。
【００２７】
また、図１１に示す１７はアンカー（錨）で、アンカー１７は、接続部材（例えば、ロープ）１８に接続されている。
この接続部材１８の一端はアンカー１７に、接続部材１８の他端は津波シェルター本体１の（外側補強部材）１ｃに設けた接続部１Ａ１にそれぞれ接続されている。１７’は、アンカー１７と接続部材１８の一部を収納する箱である。
なお、接続部１Ａ１は、吃水線より上方に位置していることが望ましい。
また、図５及び図１１に示す１９は、津波シェルター本体１の外に設けられた溝で、アンカー１７の未使用時、津波シェルター本体１の外に位置する接続部材１８は、津波シェルター本体１の外に設けられた溝１９内に接続部材１８が外壁（外側補強部材）１ｃの面より突出しないように収納され、津波シェルター本体１の内に位置する接続部材１８は、出入口１０と開閉扉２との間を介して津波シェルター本体１の内に位置すると共に、接続部材１８の一端に接続されたアンカー１７は、津波シェルター本体１の内に位置している。
なお、アンカー１７の使用時、例えば、津波が退く時、外部の状況を見ながら、開閉扉２を開いて、出入口１０から津波シェルター本体１の内に位置していた接続部材１８の部位及びアンカー１７を放出して、津波シェルター本体１の内に位置していた接続部材１８の部位及びアンカー１７を津波シェルター本体１の外へ位置させ、津波シェルターＳが退き波に流されることを防ぐようにすることができる。
なお、アンカー１７の未使用時、津波シェルター本体１の外に位置する接続部材１８が外に位置する分、津波シェルター本体１内に設けなくて良いため、津波シェルター本体１内の接続部材１８を短くしてコンパクトにし、しかも、津波シェルター本体１の外に設けられた溝１９内に接続部材１８を収納させることができ、津波シェルターＳが漂流中、他の漂流物に引っ掛かりにくく、使用勝手の良好な津波シェルターＳを得ることができる。
また、望ましくは、天候等による接続部材１８の劣化を防ぐために、ガムテープ等の覆い部材で、溝１９内に位置した接続部材１８を覆うようにしても良い。
更に、津波シェルターＳが漂流中、接続部材１８が他の漂流物に引っ掛かった場合、接続部材１８をナイフ等で切断できるように、接続部材１８がロープの場合、あまり太いものは、望ましくない。
【００２８】
従って、地震により津波が発生し、沿岸部で、しかも、低地においては、避難する場所も困難な場合が多い。このような場合、上述した津波シェルターＳ内に避難すれば、津波に乗って、安全な場所まで移動し、人命を護ることができる。
【００２９】
上述した実施例においては、津波シェルター本体１の形状を略球状の中空構造体としたが、本願発明にあっては、これに限らず、図１２に示すような略楕円球状の中空構造体でも、又、図示しない略立方体（立方体又は、立方体の各角部に丸味をつけたもの）の中空構造体でも、又、図示しない略直方体の中空構造体でも同様に適用することができる。
【符号の説明】
【００３０】
Ｓ      津波シェルター
１      津波シェルター本体
２      開閉扉
１０    出入口
１１    凹状の階段
１１ａ  入り口
１１ｂ  閉塞部
１２    雨水通路
【図１】
2014104778.tif 000003
【図２】
2014104778.tif 000004
【図３】
2014104778.tif 000005
【図４】
2014104778.tif 000006
【図５】
2014104778.tif 000007
【図６】
2014104778.tif 000008
【図７】
2014104778.tif 000009
【図８】
2014104778.tif 000010
【図９】
2014104778.tif 000011
【図１０】
2014104778.tif 000012
【図１１】
2014104778.tif 000013
【図１２】
2014104778.tif 000014
【図１３】
2014104778.tif 000015
【図１４】
2014104778.tif 000016
【図１５】
2014104778.tif 000017
【図１６】
2014104778.tif 000018
【図１７】
2014104778.tif 000019
【図１８】
2014104778.tif 000020